Podtech/llm-jp-corpus-v4-ja_patent huggingface dataset:
【手続補正書】
【提出日】平成21年2月19日(2009.2.19)
【手続補正１】
【補正対象書類名】特許請求の範囲
【補正対象項目名】全文
【補正方法】変更
【補正の内容】
【特許請求の範囲】
【請求項１】
被験者における２型糖尿病、代謝症候群、準臨床的アテローム性動脈硬化症、心筋梗塞、卒中または糖尿病の臨床症状を発症する感受性を診断するまたは予知する方法であって、該被験者からの血液試料中の小型稠密低密度リポタンパク質（ｓｄＬＤＬ）粒子上の一つまたは複数の結合したタンパク質の量を検出し且つ定量することを含む方法。
【請求項２】
疾患状態が、ｓｄＬＤＬに結合したタンパク質の量およびタイプによって被験者について決定されている、請求項１に記載の方法。
【請求項３】
前記方法を、前記血液試料から分離された血清について行う、請求項１または請求項２に記載の方法。
【請求項４】
ｓｄＬＤＬ粒子を含有する画分を、前記血清から分離する、請求項３に記載の方法。
【請求項５】
ｓｄＬＤＬ粒子上の一つまたは複数の結合したタンパク質の量を、健康な対照被験者から定量された量と比較する、請求項１〜４のいずれかに記載の方法。
【請求項６】
ｓｄＬＤＬ粒子上の一つまたは複数の結合したタンパク質の量の検出および定量化を、表面増強レーザー脱離イオン化（Surface Enhanced Laser Desorption Ionization）（ＳＥＬＤＩ）分析によって行う、請求項１〜５のいずれかに記載の方法。
【請求項７】
ｓｄＬＤＬ粒子を、密度勾配超遠心分離を行うことによって血液または血清から単離する、請求項１〜６のいずれかに記載の方法。
【請求項８】
密度勾配超遠心分離を、Ｄ２Ｏ中で調製された緩衝液で行う、請求項７に記載の方法。
【請求項９】
ｓｄＬＤＬ粒子を、動脈血プロテオグリカン溶液での血清からのｓｄＬＤＬ粒子の沈殿によって分離する、請求項３〜６のいずれかに記載の方法。
【請求項１０】
前記結合したタンパク質が、アポリポタンパク質ＣIII、アポリポタンパク質ＣＩ、アポリポタンパク質Ａ１およびアポリポタンパク質Ｅから成る群より選択される、請求項１〜９のいずれかに記載の方法。
【請求項１１】
ｓｄＬＤＬ粒子に結合した一つまたはそれを超えるタンパク質の、対照被験者の場合に相対して増大した量が、被験者が２型糖尿病に罹患しているかどうかを示している、請求項５〜１０のいずれかに記載の方法。
【請求項１２】
ｓｄＬＤＬ粒子に結合した一つまたはそれを超えるタンパク質の、対照被験者の場合に相対して低下した量が、被験者が２型糖尿病に罹患しているかどうかを示している、請求項５〜１０のいずれかに記載の方法。
【請求項１３】
ｓｄＬＤＬ粒子に結合したアポリポタンパク質ＣＩおよび／またはアポリポタンパク質Ａ１および／またはアポリポタンパク質Ｅの量を、健康な対照被験者と比較して低下させ、そしてｓｄＬＤＬ粒子に結合したアポＣIIIの量を増大させる、請求項１〜１２のいずれかに記載の方法。
【請求項１４】
臨床試験のために患者を選択するためのバイオマーカーとしての、ｓｄＬＤＬ粒子上に結合した一つまたは複数のタンパク質のタイプおよび量のプロフィール作成方法の使用。
【請求項１５】
被験者の薬理学的介入の結果の評価用のバイオマーカーとしての、該被験者のｓｄＬＤＬ粒子上に結合した一つまたは複数のタンパク質のタイプおよび量のプロフィール作成方法の使用。
【請求項１６】
アポタンパク質ＣＩおよびアポタンパク質ＣIIIの組合せを用いる、請求項１４または請求項１５に記載の使用。
【請求項１７】
アポタンパク質ＣＩ、アポリポタンパク質Ａ１、アポリポタンパク質Ｅおよびアポタンパク質ＣIIIの組合せを用いる、請求項１４または請求項１５に記載の使用。
【請求項１８】
健康な対照被験者と比較して、ｓｄＬＤＬ粒子に結合したアポＣＩの量を減少させ、そしてｓｄＬＤＬ粒子に結合したアポＣIIIの量を増加させる、請求項１４〜１５のいずれかに記載の使用。
【請求項１９】
健康な対照被験者と比較して、ｓｄＬＤＬ粒子に結合したアポリポタンパク質ＣＩおよび／またはアポリポタンパク質Ａ１および／またはアポリポタンパク質Ｅの量を減少させ、そしてｓｄＬＤＬ粒子に結合したアポＣIIIの量を増加させる、請求項１８に記載の使用。
【請求項２０】
被験者における２型糖尿病、代謝症候群、準臨床的アテローム性動脈硬化症、心筋梗塞、卒中または糖尿病の臨床症状を発症する感受性を診断するまたは予知する診断用キットであって、ｓｄＬＤＬ粒子上に結合したタンパク質を検出し且つ定量することが可能なタンパク質チップを含むキット。
【請求項２１】
前記チップを、カップリングした動脈血プロテオグリカンと一緒に提供する、請求項２０に記載のキット。
【請求項２２】
前記チップを、ｓｄＬＤＬに結合したタンパク質の直接的決定に用いる、請求項２０〜２１に記載のキット。
【請求項２３】
動脈内膜中間厚み（arterial intimamedia thickness）を予測する方法であって、被験者からの血液試料中の小型稠密低密度リポタンパク質（ｓｄＬＤＬ）粒子上の一つまたは複数の結合したタンパク質の量を検出し且つ定量することを含む方法。
【請求項２４】
被験者における２型糖尿病、代謝症候群、準臨床的アテローム性動脈硬化症、心筋梗塞、卒中または糖尿病の臨床症状を発症する感受性を診断するまたは予知する方法であって、該被験者から血液を採取すること、および得られた血液試料中の小型稠密低密度リポタンパク質（ｓｄＬＤＬ）粒子上の一つまたは複数の結合したタンパク質の量を検出し且つ定量することを含む方法。
【手続補正書】
【提出日】平成21年4月13日(2009.4.13)
【手続補正１】
【補正対象書類名】特許請求の範囲
【補正対象項目名】全文
【補正方法】変更
【補正の内容】
【特許請求の範囲】
【請求項１】
座標位置決め装置上に取り付けられた装置の軌跡を計画する方法であって、前記座標位置決め装置は前記装置と前記座標位置決め装置の表面との間の相対移動を生じさせるように操作することができ、前記装置は２つ以上の軸周りで回転移動を生じさせるドライブを備えている方法であって、
所与の軌跡に対して、前記装置の回転軸周りの前記装置の角速度または加速度が所定の閾値を超えるかどうかを判断するステップと、
そうである場合、前記回転軸周りの前記装置の前記角速度または加速度が前記所定の閾値を超えないようにパラメータを調節するステップと
を含むことを特徴とする方法。
【請求項２】
前記装置は、プローブヘッドを備えていることを特徴とする請求項１に記載の方法。
【請求項３】
表面感知装置が前記プローブヘッド上に取り付けられていることを特徴とする請求項２に記載の方法。
【請求項４】
前記パラメータを調節するステップは、前記回転軸周りの前記装置の回転速度または加速度が前記閾値より下であるように新しい軌跡を選択するステップを含むことを特徴とする請求項１ないし３のいずれかに記載の方法。
【請求項５】
前記新しい軌跡は、前の軌跡と平行にずれていることを特徴とする請求項４に記載の方法。
【請求項６】
前記装置は、上に表面感知装置が取り付けられたプローブヘッドであり、前記前の軌跡は前記表面感知装置によって測定される表面輪郭の公称中心線であり、前記新しい軌跡は前記中心線と平行にずれていることを特徴とする請求項５に記載の方法。
【請求項７】
前記パラメータを調節するステップは、前記表面輪郭を再配向するステップを含むことを特徴とする請求項１ないし３のいずれかに記載の方法。
【請求項８】
前記装置は上に取り付けられた装置を有し、前記パラメータを調節するステップは、前記装置の角速度を変えるステップを含むことを特徴とする請求項１ないし７のいずれかに記載の方法。
【請求項９】
前記装置はスタイラスを有するプローブが上に取り付けられたプローブヘッドを備えており、前記走査パラメータを調節するステップは、スタイラス長さを変えるステップを含んでいることを特徴とする請求項１ないし８のいずれかに記載の方法。
【請求項１０】
前記装置は、非接触プローブが上に取り付けられたプローブヘッドを備えており、前記走査パラメータを調節するステップは、前記非接触プローブのずれを変えるステップを含んでいることを特徴とする請求項１ないし８のいずれかに記載の方法。
【請求項１１】
前記プローブヘッドは、公称的に表面輪郭上の所要の位置点まで推進させることによって前記表面感知装置を移動させ、これらの点の間の間隙は前記回転軸周りの前記プローブヘッドの角速度または加速度が前記所定の閾値を超えないように選択されることを特徴とする請求項３に記載の方法。
【請求項１２】
座標位置決め装置上に取り付けられた装置の軌跡を計画する装置であって、前記座標位置決め装置は前記装置と前記座標位置決め装置の表面との間の相対移動を生じさせるように操作することができる装置であって、２つ以上の軸周りで回転移動を生じさせるドライブを備えており、
所与の軌跡に対して、前記装置の回転軸周りの前記装置の角速度または加速度が所定の閾値を超えるかどうかを判断するステップと、そうである場合、前記回転軸周りの前記装置の前記角速度または加速度が前記所定の閾値を超えないようにパラメータを調節するステップとを行う計算装置を備えていることを特徴とする装置。
【請求項１３】
座標位置決め装置上のプローブヘッドに取り付けられた表面検出装置を使用して表面輪郭を測定する方法であって、前記座標位置決め装置は軌跡に沿って前記プローブヘッドと前記表面輪郭の間の相対移動を生じさせるように操作することができ、前記装置は２つ以上の軸周りで表面検出装置の回転移動を生じさせるドライブを備えており、それによって前記ドライブは前記表面検出装置を前記表面輪郭の表面に対して位置決めして前記表面輪郭周りで測定を行うことを可能にするように操作することができる方法であって、
所与の軌跡に対して、前記プローブの回転軸周りの前記プローブヘッドの角速度または加速度が所定の閾値を超えるかどうかを判断するステップと、
そうである場合、前記回転軸周りの前記プローブヘッドの前記角速度または加速度が前記所定の閾値を超えないように走査パラメータを調節するステップと、
を含むことを特徴とする方法。
【請求項１４】
座標位置決め装置上のプローブヘッドに取り付けられた表面検出装置を使用して表面輪郭を測定する方法であって、前記座標位置決め装置は軌跡に沿って前記プローブヘッドと前記表面輪郭の間の相対移動を生じさせるように操作することができ、前記プローブヘッドは２つ以上の軸周りで回転移動を生じさせるドライブを備えており、それによって前記ドライブは前記表面検出装置を前記表面輪郭の表面に対して位置決めして前記表面輪郭周りで測定を行うことを可能にするように操作することができる方法であって、
所与の軌跡に対して、前記表面検出装置の長手軸が前記プローブヘッドの回転軸と平行、またはほぼ平行になるかどうかを判断するステップと、
そうである場合、前記表面検出装置の前記長手軸が前記プローブヘッドの回転軸と平行、またはほぼ平行にならないように、新しい軌跡を選択するステップと、
を含むことを特徴とする方法。
【請求項１５】
前記表面感知装置は、プローブ先端を有するプローブを備えており、前記表面感知装置の前記長手軸は前記プローブ先端から前記プローブヘッドの軸まで延びており、前記長手軸は前記プローブヘッドの前記軸に垂直であることを特徴とする請求項１４に記載の方法。
【請求項１６】
所与の軌跡に対して、前記装置の回転軸周りの前記装置の角速度または加速度が所定の閾値を超えるかどうかを判断する前記ステップは、前記装置が前記所与の軌跡に沿って移動している際に実行されることを特徴とする請求項１に記載の方法。
【請求項１７】
座標位置決め装置上のプローブヘッドに取り付けられた表面検出装置を使用して公称中心線を有する表面輪郭を測定する方法であって、前記座標位置決め装置は前記プローブヘッドと前記表面輪郭の間の相対移動を生じさせるように操作することができ、前記プローブヘッドは２つ以上の軸周りで回転移動を生じさせるドライブを備えており、それによって前記ドライブは前記表面検出装置を前記表面輪郭の表面に対して位置決めして前記表面輪郭周りで測定を行うことを可能にするように操作することができる方法であって、
前記公称中心線からずれた軌跡に沿って前記プローブヘッドを移動させるよう前記座標位置決め装置を操作するステップと、
前記表面輪郭の表面周りで前記表面検出装置を移動させるよう前記プローブヘッドの前記ドライブを操作するステップと、
を含むことを特徴とする方法。
【請求項１８】
前記軌跡は前記中心線と平行にずれていることを特徴とする請求項１７に記載の方法。
【請求項１９】
前記軌跡は前記中心線と非平行にずれていることを特徴とする請求項１７に記載の方法。
【請求項２０】
前記表面輪郭は孔を含んでいることを特徴とする請求項１７または１８に記載の方法。
【手続補正書】
【提出日】平成21年4月10日(2009.4.10)
【手続補正１】
【補正対象書類名】特許請求の範囲
【補正対象項目名】全文
【補正方法】変更
【補正の内容】
【特許請求の範囲】
【請求項１】
少なくとも１つの第１装置を有する第１ネットワークに接続するための手段と、第２ネットワーク上のネットワークリソース識別子のネットワークアドレスである真のネットワークアドレスを取得するため、少なくとも１つの第２装置を有する前記第２ネットワークに接続するための手段とを有するゲートウェイ装置であって、
さらに、真のネットワークアドレスが前記少なくとも１つの第２装置から取得できない場合、前記第１装置によりネットワークリソース識別子が提供されることに応答して、なりすましネットワークアドレスを提供し、異なるネットワークリソース識別子に異なるなりすましネットワークアドレスを提供するよう構成される手段と、
真のネットワークアドレスが取得可能になると、なりすましネットワークアドレスが提供された以前に受信したネットワークリソース識別子のそれぞれについて、前記真のネットワークアドレスを取得し、該真のネットワークアドレスを要求した前記少なくとも１つの第１装置に前記真のネットワークアドレスを転送する手段と、
を有するゲートウェイ装置。
【請求項２】
第１ネットワークに設けられる少なくとも１つの第１装置から第２ネットワークに設けられる少なくとも１つの第２装置へのネットワークアドレスリクエストを管理する方法であって、当該方法は、前記第１装置と前記第２装置との間に接続されるゲートウェイ装置により実行され、
当該方法は、
前記第２ネットワーク上のネットワークリソース識別子のネットワークアドレスである前記ネットワークリソース識別子に対応する真のネットワークアドレスを前記第１装置から取得する要求を受信するステップと、
前記真のネットワークアドレスが前記少なくとも１つの第２装置から取得可能な判断するステップと、
前記取得可能でない場合、異なるネットワークリソース識別子に異なるなりすましネットワークアドレスが設けられるなりすましネットワークアドレスを前記第１装置に提供するステップと、
真のネットワークアドレスが取得可能になると、なりすましネットワークアドレスが提供された以前に受信したネットワークリソース識別子のそれぞれについて、前記真のネットワークアドレスを取得し、該真のネットワークアドレスを要求した前記少なくとも１つの第１装置に前記真のネットワークアドレスを転送するステップと、
を有する方法。
【手続補正書】
【提出日】平成21年3月2日(2009.3.2)
【手続補正１】
【補正対象書類名】特許請求の範囲
【補正対象項目名】請求項１
【補正方法】変更
【補正の内容】
【請求項１】
エッチレイヤに特徴を形成する方法であって、
前記エッチレイヤ上に、幅を有する複数のスペースを定義する第１のマスクを形成し、
縦方向に前記第１のマスクをエッチングし、エッチングされた第１のマスクは、幅を有する複数のスペースを定義しており、前記エッチングされた第１のマスクの前記スペースの前記幅は、前記第１のマスクの前記スペースの前記幅より大きく、
前記エッチングされた第１のマスク上に、前記エッチレイヤ上に第１のマスクを形成することにより画定された前記複数のスペースに略等しい幅を有する複数のスペースを定義する側壁レイヤを形成し、
前記エッチレイヤ中に前記側壁レイヤを通して、前記エッチングされた第１のマスクによって定義される前記スペースの前記幅よりも小さい幅を有する特徴をエッチングし、
前記マスク及び前記側壁レイヤを取り除く
方法。
【手続補正２】
【補正対象書類名】特許請求の範囲
【補正対象項目名】請求項２１
【補正方法】変更
【補正の内容】
【請求項２１】
特徴をエッチレイヤに形成する方法であって、
前記エッチレイヤ中に複数のビアをエッチングすること、
トレンチフォトレジストマスクを形成すること、
前記トレンチマスク上及び前記複数のビアの側壁上に形成される側壁レイヤであり、該側壁レイヤは、前記トレンチフォトレジストマスクの形成による前記トレンチフォトレジストマスクによって画定された複数のスペースの幅と略等しい幅の有する複数のスペースを画定しており、
前記トレンチフォトレジストマスクを形成することにより、前記トレンチフォトレジストマスクによって画定された複数のスペースの幅と略等しい幅の有する複数のスペースを画定する側壁レイヤを、前記トレンチマスク上及び前記複数のビアの側壁上に形成すること、
前期側壁レイヤを通して前記エッチレイヤにトレンチをエッチングすること
を含む方法。
【手続補正３】
【補正対象書類名】特許請求の範囲
【補正対象項目名】請求項２６
【補正方法】変更
【補正の内容】
【請求項２６】
特徴をエッチレイヤに形成する方法であって、
前記エッチレイヤ上に、パターンされたフォトレジストマスクであり、該フォトレジストマスクは側壁を持ち該側壁は山と谷とを形成するストリエーションを有するフォトレジスト特徴を有するフォトレジストマスクを形成する工程、
前記パターンされたフォトレジストマスクを形成することにより、前記パターンされたフォトレジストマスクによって画定された複数のスペースの幅と略等しい幅の有する複数のスペースを画定するフォトマスク特徴の側壁のストリエーションを減少させる工程であり、少なくとも１サイクルを含み、該サイクルが、
前記フォトレジスト特徴の前記側壁のストリエーションによって形成される山をエッチバックすること、及び
前記フォトレジスト特徴の前記側壁上に堆積すること、
を含む工程、
前記フォトレジスト特徴を通して前記エッチレイヤ中に特徴をエッチングする工程、及び
前記フォトレジストを取り除く工程
を含む方法。
【手続補正４】
【補正対象書類名】特許請求の範囲
【補正対象項目名】請求項３６
【補正方法】変更
【補正の内容】
【請求項３６】
側壁を持つフォトレジスト特徴を有するパターンされたフォトレジストマスクの下に配置されたエッチレイヤに特徴を形成する方法であって、前記フォトレジスト特徴の前記側壁は山と谷を形成するストリエーションを有しており、前記方法は、
前記フォトレジスト特徴の前記側壁の前記ストリエーションを減少させる工程であって、少なくとも前記パターンされたフォトレジストマスクを形成することに画定された複数のスペースの幅と略等しい幅の有する複数のスペースを画定するサイクルを一つ含み、各サイクルが、
ストリエーション山エッチバックガスを供給すること、
前記ストリエーション山エッチバックガスからプラズマを形成すること、
前記ストリエーション山エッチバックガスを停止すること、
フォトレジスト特徴側壁堆積ガスを供給すること、
前記フォトレジスト特徴側壁堆積ガスからプラズマを形成すること、及び
前記フォトレジスト特徴側壁堆積ガスを停止すること、
を含む工程、
前記エッチレイヤをエッチングする工程、及び
前記フォトレジストマスクを取り除く工程
を含む方法。
【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
大きな画像を提供することを容易にするシステムであって、
特定の地理的位置に関連するウェブベースの閲覧アクティビティのレベルを判定するコンポーネントと、
前記特定の地理的位置に関連する画像をレンダリングするために利用可能なキャパシティを判定するキャパシティコンポーネントと、
レンダリングされるべき画像に関連するデータを、画像サイズ及び前記閲覧アクティビティに応じて動的に再分配する負荷平衡コンポーネントと
を備えるシステム。
【請求項２】
前記負荷平衡コンポーネントは部分的にホットネスに基づいて前記データを再分配することを特徴とする請求項１に記載のシステム。
【請求項３】
ホットネスは、閲覧する人数、閲覧アクティビティ（観光）及び予測不能なイベントデータに基づいて計算される請求項２に記載のシステム。
【請求項４】
特定の地理的領域に関連する画像データを受信する入力コンポーネントと、
前記画像データを少なくとも２つの象限に分割する分割コンポーネントと、
前記少なくとも２つの象限を格納するストレージコンポーネントと
をさらに備える請求項１に記載のシステム。
【請求項５】
前記分割コンポーネントは、前記少なくとも２つの象限の各々について位置識別を提供するインデックスコンポーネントを含む請求項４に記載のシステム。
【請求項６】
前記象限は閲覧レベルに従ってランク付けされ、前記閲覧レベルはコールド、ノーマル及びホットのうち１つである請求項４に記載のシステム。
【請求項７】
前記負荷平衡コンポーネントは、前記データを単一の画像ファイルに再構築して単一の画像ファイルのシームレスな閲覧を提供する請求項１に記載のシステム。
【請求項８】
特定の地理的位置と関連する前記ウェブベースの閲覧アクティビティのレベルは、前記位置について受信されたユーザリクエストの数に基づいている請求項１に記載のシステム。
【請求項９】
リクエストに応じて大きな画像を提供する方法であって、
画像データを見るための複数のユーザリクエストを受信する段階と、
前記画像データを動的に再配分する段階と、
前記画像データを複数のユーザに表示する段階と、
を含むことを特徴とする方法。
【請求項１０】
前記画像データを動的に再配分する段階は、
閲覧アクティビティのレベルを判定する段階と、
前記閲覧アクティビティの判定レベルに基づいて利用可能なキャパシティを計算する段階と、
を更に含むことを特徴とする請求項９に記載の方法。
【請求項１１】
閲覧人数、閲覧アクティビティ、及び予測不能なイベントデータに基づいて、各々の象限の閲覧レベルを計算する段階を更に含むことを特徴とする請求項９に記載の方法。
【請求項１２】
複数のユーザから画像データを受信する段階と、
前記画像データを関連のロケーション識別子と一緒に格納する段階と、
を更に含むことを特徴とする請求項９に記載の方法。
【請求項１３】
前記画像データを関連のロケーション識別子と一緒に格納する段階は、
前記画像データを少なくとも２つの象限に分割する段階と、
前記象限の各々に関連するロケーション識別子を提供する段階と、
を更に含むことを特徴とする請求項１２に記載の方法。
【請求項１４】
前記画像データは少なくとも２つのストレージ位置に格納される請求項１２に記載の方法。
【請求項１５】
少なくとも前記画像データのホットネスに部分的に基づいて前記画像データを再配分する段階を更に含むことを特徴とする請求項９に記載の方法。
【請求項１６】
ホットネス＝（（人口＋観光客）×未知のイベント）の式を用いてホットネスを計算する段階を更に含むことを特徴とする請求項１５に記載の方法。
【請求項１７】
前記ホットネスを計算する段階は予測可能なイベントに基づくことを特徴とする請求項１５に記載の方法。
【請求項１８】
大きな画像を表示するシステムであって、
地理的領域に基づいて閲覧アクティビティを判定する手段と、
前記特定の地理的領域に関連する画像をレンダリングするのに利用可能なキャパシティを計算する手段と、
レンダリングされるべき前記画像に関連するデータを、画像サイズ及び閲覧アクティビティに応じて、再分配する手段と
を備えるシステム。
【請求項１９】
受信された画像を地理的位置に関連付ける手段と、
前記画像を少なくとも２つのより小さな画像に分割する手段と、
前記少なくとも２つのより小さな画像を記憶する手段と
を備える請求項１８に記載のシステム。
【請求項２０】
前記少なくとも２つのより小さな画像の各々について位置識別を提供する手段をさらに備える請求項１８に記載のシステム。
【誤訳訂正書】
【提出日】平成21年3月9日(2009.3.9)
【誤訳訂正１】
【訂正対象書類名】特許請求の範囲
【訂正対象項目名】請求項５
【訂正方法】変更
【訂正の内容】
【請求項５】
アラニントランスアミナーゼ遺伝子に連結したプロモーターを減少させるかまたは排除するかまたはより弱いプロモーターと交換することを特徴とする、請求項1〜4のいずれか1つに記載の方法。
【誤訳訂正２】
【訂正対象書類名】特許請求の範囲
【訂正対象項目名】請求項６
【訂正方法】変更
【訂正の内容】
【請求項６】
アラニントランスアミナーゼ遺伝子に連結した開始コドンの活性を低下させるかまたは排除するかまたはより弱い開始コドンと交換することを特徴とする、請求項1〜5のいずれか1つに記載の方法。
【誤訳訂正３】
【訂正対象書類名】特許請求の範囲
【訂正対象項目名】請求項８
【訂正方法】変更
【訂正の内容】
【請求項８】
以下の遺伝子の群：
アセトヒドロキシ酸シンターゼをコードするilvBN遺伝子、
異性体レダクターゼをコードするilvC遺伝子、
デヒドラターゼをコードするilvD遺伝子、
トランスアミナーゼCをコードするilvE遺伝子、
フィードバック抵抗性のアセトヒドロキシ酸シンターゼをコードするilvBN遺伝子、
から選択される少なくとも1種の構成要素を増大または過剰発現させることを特徴とする、請求項1〜7のいずれか1つに記載の方法。
【誤訳訂正４】
【訂正対象書類名】特許請求の範囲
【訂正対象項目名】請求項１１
【訂正方法】変更
【訂正の内容】
【請求項１１】
コリネバクテリウム・グルタミカム属の細菌が使用されることを特徴とする、請求項10記載の方法。
【手続補正書】
【提出日】平成21年3月13日(2009.3.13)
【手続補正１】
【補正対象書類名】特許請求の範囲
【補正対象項目名】全文
【補正方法】変更
【補正の内容】
【特許請求の範囲】
【請求項１】
システム有能性評価を行うための方法であって、
コンピューティング製品に対する評価を行うリクエストを受け取る段階と、
少なくとも１つの属性、能力、及び特徴を含む少なくとも１つのコンピューティング製品特性を分析することによって評価データを判定する段階であって、前記属性が、固有のシステム特性とシステムが標準規格に準拠している程度との少なくとも１つを含み、前記能力が、個々のファンクション、タスク、ファンクションのクラス、及びタスクのクラスを効果的に実行する製品又はシステムの能力の少なくとも１つを含み、前記特徴が、顕著なシステム部分、構成要素、及び特性の少なくとも１つを含む、段階と、
前記評価データを記憶する段階と、
を含む方法。
【請求項２】
前記コンピューティング製品の評価データを判定する段階が、前記コンピューティング製品の複数の評価を行う段階を含む、
ことを特徴とする請求項１に記載の方法。
【請求項３】
前記コンピューティング製品が単一のコンピューティングデバイスである、
ことを特徴とする請求項１に記載の方法。
【請求項４】
前記コンピューティング製品がサーバである、
ことを特徴とする請求項１に記載の方法。
【請求項５】
前記コンピューティング製品がコンピューティングデバイスのクラスタである、
ことを特徴とする請求項１に記載の方法。
【請求項６】
前記評価データに基づいて前記コンピューティング製品に対する互換性格付けを生成する段階を更に含む、
ことを特徴とする請求項１に記載の方法。
【請求項７】
データ記憶装置、アプリケーションプログラムインタフェース、オペレーティングシステム、ユーザ、及び通信チャンネルからの情報を含む複数のファクターの少なくとも１つに基づいて評価を行う方法を判定する段階を更に含む、
ことを特徴とする請求項１に記載の方法。
【請求項８】
前記評価データを追加のコンピューティング製品に提供する段階を更に含む、
ことを特徴とする請求項１に記載の方法。
【請求項９】
前記コンピューティング製品に対する評価を行うリクエストを受け取る段階、少なくとも１つの属性、能力、及び特徴を含む少なくとも１つのコンピューティング製品特性を分析することによって評価データを判定する段階、及び前記評価データを記憶する段階が、オペレーティングシステムによって実行される、
ことを特徴とする請求項１に記載の方法。
【請求項１０】
コンピューティング製品に対する評価を行う要求を受け取る段階と、
少なくとも１つの属性、能力、及び特徴を含む少なくとも１つのコンピューティング製品特性を分析することによって評価データを判定する段階であって、前記属性が、固有のシステム特性とシステムが標準規格に準拠している程度との少なくとも１つを含み、前記能力が、個々のファンクション、タスク、ファンクションのクラス、及びタスクのクラスを効果的に実行する製品又はシステムの能力の少なくとも１つを含み、前記特徴が、顕著なシステム部分、構成要素、及び特性の少なくとも１つを含む、段階と、
前記評価データに基づいて前記コンピューティング製品に対する互換性格付けを生成する段階と、
前記評価データを記憶する段階と、
を含む方法を実行するためのコンピュータ実行可能命令を有するコンピュータ可読媒体。
【請求項１１】
前記コンピューティング製品が単一のコンピューティングデバイスである、
ことを特徴とする請求項１０に記載のコンピュータ可読媒体。
【請求項１２】
前記コンピューティング製品がサーバである、
ことを特徴とする請求項１０に記載のコンピュータ可読媒体。
【請求項１３】
前記コンピューティング製品がコンピューティングデバイスのクラスタである、
ことを特徴とする請求項１０に記載のコンピュータ可読媒体。
【請求項１４】
システム有能性評価を行うためのシステムであって、
コンピューティング製品についての評価を行うリクエストを受け取り、評価データを判定するためのプロセッサであって、前記評価データの判定は、少なくとも１つの属性、能力、及び特徴を含む少なくとも１つのコンピューティング製品特性の分析を含み、前記属性が、固有のシステム特性とシステムが標準規格に準拠している程度との少なくとも１つを含み、前記能力が、個々のファンクション、タスク、ファンクションのクラス、及びタスクのクラスを効果的に実行する製品又はシステムの能力の少なくとも１つを含み、前記特徴が、顕著なシステム部分、構成要素、及び特性の少なくとも１つを含む、プロセッサと、
少なくとも１つの属性、能力、及び特徴を含む少なくとも１つのコンピューティング製品特性を含む評価データを記憶するための記憶デバイスと、
を備えるシステム。
【請求項１５】
前記プロセッサは、データ記憶装置、アプリケーションプログラムインタフェース、オペレーティングシステム、ユーザ、及び通信チャンネルからの情報を含む複数のファクターの少なくとも１つに基づいて評価を行う方法を判定する、
ことを特徴とする請求項１４に記載のシステム。
【請求項１６】
前記コンピューティング製品は、コンピュータシステム、サーバ、コンピュータシステムのクラスタ、及びコンピュータシステム構成要素の少なくとも１つを含む、
ことを特徴とする請求項１４に記載のシステム。
【請求項１７】
前記プロセッサは、前記評価データに基づいて前記コンピューティング製品に対する互換性格付けを生成する、
ことを特徴とする請求項１４に記載のシステム。
【手続補正書】
【提出日】平成21年2月24日(2009.2.24)
【手続補正１】
【補正対象書類名】特許請求の範囲
【補正対象項目名】全文
【補正方法】変更
【補正の内容】
【特許請求の範囲】
【請求項１】
変数および／または必須の節を含む論理形式を使用するアクセス制御言語を採用するシステムであって、
少なくとも１つのリソースに及び前記リソースにアクセスするための関連する使用ポリシーとリンク付けされたサーバコンポーネントと、
前記リソースへのアクセスを要求するクライアントコンポーネントと、
前記要求されたリソースの前記使用ポリシーを満足するための１以上の信用証明記述を使用し、それにより前記要求されたアクセスが許可されるべきであることを実証する証明を構築する方法を前記クライアントに指示する１以上の追加のアサーションと
を備えることを特徴とするシステム。
【請求項２】
前記クライアントコンポーネントは、信用されたエンティティではないことを特徴とする請求項１に記載のシステム。
【請求項３】
１以上の信用証明記述の少なくとも１つを提供する少なくとも１つの補助クライアントを更に備えることを特徴とする請求項１に記載のシステム。
【請求項４】
前記証明は、全ての信用証明記述と追加のアサーションが受信された後でのみ構築されることを特徴とする請求項３記載のシステム。
【請求項５】
前記１以上の追加のアサーションは、値を変数に置き換えることを指示することを特徴とする請求項１記載のシステム。
【請求項６】
前記１以上の追加のアサーションは、少なくとも１つの必須の節を証明することを指示することを特徴とする請求項１記載のシステム。
【請求項７】
前記１以上の追加のアサーションは、必須の節を再帰的に証明することを指示することを特徴とする請求項１記載のシステム。
【請求項８】
前記１以上の追加のアサーションは、前記要求されたアクセスが許可されるべきであることを実証する証明の一部のみを構築する方法を指示することを特徴とする請求項１記載のシステム。
【請求項９】
前記１以上の追加のアサーションは、前記要求されたアクセスが許可されるべきであることを実証する証明を構築するサーバコンポーネントにより使用されることを特徴とする請求項１記載のシステム。
【請求項１０】
前記サーバコンポーネントは、前記要求されたアクセスがなぜ許可され、あるいは拒否されるのかを記録する監査コンポーネントをさらに備えることを特徴とする請求項１記載のシステム。
【請求項１１】
前記監査コンポーネントは、前記証明を記録することを特徴とする請求項１０記載のシステム。
【請求項１２】
前記サーバコンポーネントは、前記クライアントコンポーネントと少なくとも１つの補助クライアントからなるグループから選択された供給者から前記クライアントコンポーネントに関する前記少なくとも１つの信用証明記述を受信することを特徴とする請求項１記載のシステム。
【請求項１３】
前記少なくとも１つの信用証明記述は前記供給者以外の位置で記録され、前記供給者は前記少なくとも１つの信用証明記述を前記サーバコンポーネントに供給する間、前記信用証明記述を参照することを特徴とする請求項１記載のシステム。
【請求項１４】
使用ポリシーに関連付けされたリソースと関連するエンティティ（「サーバ」）と、前記リソースにアクセスすることを要求するエンティティ（「クライアント」）との間で通信するコンピュータ実行方法であって、
前記サーバが前記クライアントから前記リソースへのアクセス要求を受信するとすぐに、前記サーバは、前記クライアントが前記アクセス要求を許可されるべきであることを実証する証明を構築するのに前記クライアントの援助となる追加のアサーションを含む提案を前記クライアントに送信することと、
前記証明を受信するとすぐに前記サーバが前記証明を検査することと、
もし前記証明が正しければ前記サーバが前記アクセス要求を許可することと、
もし前記証明が正しくなければ前記サーバが前記アクセス要求を拒否することと
を備えることを特徴とするコンピュータ実行方法。
【請求項１５】
前記サーバから前記提案を受信するとすぐに、前記クライアントが前記証明を構築するために前記提案に含まれる追加のアサーションを使用する段階をさらに備えることを特徴とする請求項１４記載のコンピュータ実行方法。
【請求項１６】
使用ポリシーに関連付けされたリソースと関連するエンティティ（「サーバ」）と、前記リソースにアクセスすることを要求するエンティティ（「クライアント」）との間で通信するコンピュータ実行方法であって、
前記クライアントが１以上の信用証明記述および１以上の追加のアサーションに従って前記サーバへアクセス要求を送信する段階を備え、前記１以上の追加のアサーションが前記要求されたアクセスが許可されるべきであることを実証する証明を構築する方法を前記サーバに指示することを特徴とするコンピュータ実行方法。
【請求項１７】
前記クライアントあるいは前記サーバ以外のエンティティが、いくつかの前記信用証明記述および前記１以上の追加のアサーションを供給する段階を備えることを特徴とする請求項１６コンピュータ実行方法。
【手続補正書】
【提出日】平成21年4月24日(2009.4.24)
【手続補正１】
【補正対象書類名】明細書
【補正対象項目名】００４５
【補正方法】変更
【補正の内容】
【００４５】
【図１】図１は、本発明の一実施形態による超伝導性テープ導体の一般化された層構造を図示する。
【図２】図２は、接合された超伝導性物品の特定の構造を図示する実施形態を示す。
【図３】図３は、接合された超伝導性物品のもう１つの実施形態を示す。
【図４】図４は、実施形態によるスプライスを図示する。
【図５】図５は、もう１つの実施形態による接合された超伝導性物品による基本構造を示す。
【図６】図６は、電力ケーブルにおける超伝導導体の実装を示す。
【図７】図７は、電力ケーブルにおける超伝導導体の実装を示す。
【図８】図８は、電力変圧器を図式的に示す。
【図９】図９は、発電機の基本構造を示す。
【図１０】図１０は、電力グリッドの基本模式を示す。
【手続補正書】
【提出日】平成21年4月16日(2009.4.16)
【手続補正１】
【補正対象書類名】特許請求の範囲
【補正対象項目名】全文
【補正方法】変更
【補正の内容】
【特許請求の範囲】
【請求項１】
ピア・ネットワーク上の選択されたアクティビティに参加するために、ユーザエンティティを招待するコンピュータにより実施される方法であって、
第１のエンドポイントにおける第１のユーザエンティティにより招待を送信するための第１のコンピューティングアプリケーションを起動するステップ、
前記招待を受信する第２のユーザエンティティを選択するステップ、
ピア・ツー・ピア・サーバレス・プロトコルを用いて、前記第２のユーザエンティティのためにアドレスを解決するステップ、
前記第1のエンドポイントにおいて、複数のアクティビティの中からアクティビティを選択するステップであって、前記選択されたアクティビティは、前記第1のエンドポイントにおけるアクティビティ・アプリケーションによってサポートされるものである、ステップ、
前記第1のエンドポイントにおいて、前記第２のユーザエンティティが前記選択されたアクティビティをサポートするか否かを判断するステップ、及び
前記第１のエンドポイントにおける前記第２のユーザエンティティが前記選択されたアクティビティをサポートするとの判断に応じて、前記第１のエンドポイントから前記第２のユーザエンティティの前記解決されたアドレスへ、前記選択されたアクティビティへの参加を求める前記招待を送信するステップ
を含む、方法。
【請求項２】
請求項１に記載のコンピュータにより実施される方法において、前記第１のエンドポイントから招待を送信するためのアプリケーションは、メッセンジャーアプリケーションである、方法。
【請求項３】
請求項１に記載のコンピュータにより実施される方法であって、前記第２のユーザエンティティの第２のエンドポイントを突き止めるために、名前解決メカニズムを起動するステップをさらに含む、方法。
【請求項４】
請求項１に記載のコンピュータにより実施される方法であって、前記第２のユーザエンティティの第２のエンドポイントを突き止めるために、プレゼンスストアに照会するステップをさらに含む、方法。
【請求項５】
請求項１に記載のコンピュータにより実施される方法であって、同期及び非同期の一方により、前記招待を送信するステップをさらに含む、方法。
【請求項６】
請求項５に記載のコンピュータにより実施される方法であって、前記第１のエンドポイントにおいて非同期の招待をキャンセルするステップをさらに含む、方法。
【請求項７】
請求項１に記載のコンピュータにより実施される方法であって、安全な方式及び安全ではない（unsecure）方式の一方により、前記招待を送信するステップをさらに含む、方法。
【請求項８】
ピア・ネットワーク上の選択されたアクティビティに参加するために、ユーザエンティティを招待する方法を実施するためのコンピュータ実行可能命令を有するコンピュータ記憶媒体であって、該方法は、
第１のエンドポイントにおける第１のユーザエンティティにより招待を送信するための第１のコンピューティングアプリケーションを起動するステップ、
前記招待を受信する第２のユーザエンティティを選択するステップ、
ピア・ツー・ピア・サーバレス・プロトコルを用いて、前記第２のユーザエンティティのためにアドレスを解決するステップ、
前記第1のエンドポイントにおいて、複数のアクティビティの中からアクティビティを選択するステップであって、前記選択されたアクティビティは、前記第1のエンドポイントにおけるアクティビティ・アプリケーションによってサポートされるものである、ステップ、
前記第1のエンドポイントにおいて、前記第２のユーザエンティティが前記選択されたアクティビティをサポートするか否かを判断するステップ、及び
前記第１のエンドポイントにおける前記第２のユーザエンティティが前記選択されたアクティビティをサポートするとの判断に応じて、前記第１のエンドポイントから前記第２のユーザエンティティの前記解決されたアドレスへ、前記選択されたアクティビティへの参加を求める前記招待を送信するステップ
を含む、コンピュータ記憶媒体。
【請求項９】
請求項８に記載のコンピュータ記憶媒体において、前記第１のエンドポイントから招待を送信するためのアプリケーションは、前記第１のコンピューティングアプリケーションである、コンピュータ記憶媒体。
【請求項１０】
請求項８に記載のコンピュータ記憶媒体において、前記第１のエンドポイントから招待を送信するためのアプリケーションは、メッセンジャーアプリケーションである、コンピュータ記憶媒体。
【請求項１１】
請求項８に記載のコンピュータ記憶媒体であって、前記第２のユーザエンティティの第２のエンドポイントを突き止めるために、名前解決メカニズムを起動するステップをさらに含む、コンピュータ記憶媒体。
【請求項１２】
ピア・ネットワーク上の選択されたアクティビティに参加するために、ユーザエンティティを招待するシステムであって、該システムは、
処理装置、
前記処理装置と通信可能に結合されたメモリであって、前記処理装置により実行されると、下記の方法を実施する命令を格納するメモリ
を備え、該方法は、
第１のエンドポイントにおける第１のユーザエンティティにより招待を送信するための第１のコンピューティングアプリケーションを起動するステップ、
前記招待を受信する第２のユーザエンティティを選択するステップ、
ピア・ツー・ピア・サーバレス・プロトコルを用いて、前記第２のユーザエンティティのためにアドレスを解決するステップ、
前記第1のエンドポイントにおいて、複数のアクティビティの中からアクティビティを選択するステップであって、前記選択されたアクティビティは、前記第1のエンドポイントにおけるアクティビティ・アプリケーションによってサポートされる、ステップ、
前記第1のエンドポイントにおいて、前記第２のユーザエンティティが前記選択されたアクティビティをサポートするか否かを判断するステップ、及び
前記第１のエンドポイントにおける前記第２のユーザエンティティが前記選択されたアクティビティをサポートするとの判断に応じて、前記第１のエンドポイントから前記第２のユーザエンティティの前記解決されたアドレスへ、前記選択されたアクティビティへの参加を求める前記招待を送信するステップ
を含む、システム。
【請求項１３】
請求項１２に記載のシステムにおいて、前記第１のエンドポイントから招待を送信するためのアプリケーションは、メッセンジャーアプリケーションである、システム。
【請求項１４】
請求項１２に記載のシステムにおいて、前記方法は、前記第２のユーザエンティティの第２のエンドポイントを突き止めるために、名前解決メカニズムを起動するステップをさらに含む、システム。
【請求項１５】
請求項１２に記載のシステムであって、前記方法は、前記第２のユーザエンティティの第２のエンドポイントを突き止めるために、プレゼンスストアに照会するステップをさらに含む、システム。
【手続補正書】
【提出日】平成21年3月3日(2009.3.3)
【手続補正１】
【補正対象書類名】特許請求の範囲
【補正対象項目名】全文
【補正方法】変更
【補正の内容】
【特許請求の範囲】
【請求項１】
固定フォーマット文書の目視を提供するための、コンピュータにより実行される方法であって、
アプリケーション・プログラム・インターフェースと統合したビューアに文書を受けるステップであって、前記ビューアは、前記アプリケーション・プログラム・インターフェース内における密封アプリケーション・クラスとして実装されて、前記ビューアを起源とするコンテンツが、信頼され、前記アプリケーション・プログラム・インターフェースにより指定されるようにフォーマット処理のレイヤを１つ以上の元の文書に追加することによって１つ以上の固定フォーマット文書を発行するのに利用され、前記１つ以上の発行された固定フォーマット文書を見るのに利用され、前記アプリケーション・プログラム・インターフェースおよび前記ビューアは、コンピュータに１回のインストール処理で同時にインストールされて、前記ビューアが前記アプリケーション・プログラム・インターフェースの信頼コンポーネントであるようにし、かつ前記ビューアが信頼に値する要求のみを作ることを前記アプリケーション・プログラム・インターフェースを使用するアプリケーションが保証するようにし、前記信頼コンテンツと前記ビューアを起源とする前記要求によって潜在的な害悪の警告を行う１つ以上のダイアログ・ボックスをユーザに提示することが不要である、ステップと、
前記アプリケーション・プログラム・インターフェースを介して、前記文書が所定の固定フォーマット・コンテンツ・タイプであるか否かを前記文書のファイル拡張子を識別することによって判定を行うステップと、
前記文書が前記所定の固定フォーマット・コンテンツ・タイプである場合、ウェブ・ブラウザを介して前記文書をユーザに呈示するステップと、
を備えた、方法。
【請求項２】
請求項１記載の方法において、前記ウェブ・ブラウザを介して前記文書をユーザに呈示するステップは、前記アプリケーション・プログラム・インターフェース内に設けられたメソッドにしたがって、前記文書のプレゼンテーションをホストするステップを備えた、方法。
【請求項３】
固定フォーマット文書を見るためのシステムであって、該システムは、１つ以上のコンピュータ記憶媒体に具体化され、前記システムが、
アプリケーション・プログラム・インターフェースと、
前記アプリケーション・プログラム・インターフェースと統合したビューアであって、該ビューアは、内部アプリケーション用の１つ以上のビジュアル・テーマ・セットを利用することができ、前記ビューアは、フォーマット処理のレイヤを１つ以上の元の文書に追加することによって１つ以上の固定フォーマット文書を発行するのに利用され、また前記１つ以上の発行された固定フォーマット文書を見るのに利用される、ビューアと、
を備えており、前記アプリケーション・プログラム・インターフェースおよび前記ビューアは１回のインストール処理でインストールされて格納され、これにより前記ビューアは、前記アプリケーション・プログラム・インターフェースの信頼コンポーネントであるようにし、かつ信頼に値する要求のみを作るようにした、システム。
【請求項４】
請求項３記載のシステムであって、更に、前記ビューアを実装するために、前記アプリケーション・プログラム・インターフェース内に密封アプリケーション・クラスを備えた、システム。
【請求項５】
請求項３記載のシステムにおいて、前記ビューアは、第１コンピュータ実行可能命令を含み、該第１命令は、文書が所定の固定フォーマット・コンテンツ・タイプか否か判定するために実行可能である、システム。
【請求項６】
請求項５記載のシステムにおいて、前記第１命令は、前記文書のファイル拡張子を識別することによって、文書が所定の固定フォーマット・コンテンツ・タイプか否か判定するために実行可能である、システム。
【請求項７】
請求項３記載のシステムにおいて、前記ビューアは、第２コンピュータ実行命令を含み、該第２命令は、文書をユーザに呈示するために実行可能である、システム。
【請求項８】
請求項７記載のシステムにおいて、前記第２命令は、ウェブ・ブラウザを介して、文書をユーザに呈示するために実行可能である、システム。
【請求項９】
請求項８記載のシステムであって、更に、前記アプリケーション・プログラム・インターフェース内に設けられ、前記ウェブ・ブラウザによる前記文書のプレゼンテーションをホストするメソッドを備えた、システム。
【請求項１０】
固定フォーマットの文書を生成するためのユーザ・インターフェース・システムであって、該ユーザ・インターフェース・システムは１つ以上のコンピュータ記憶媒体に具体化され、前記ユーザ・インターフェース・システムが、
文書のネーティブ環境においてユーザに呈示されるユーザ選択可能な固定フォーマット印刷指示であって、これが選択されたとき、アプリケーション・プログラム・インターフェースにしたがって固定フォーマット文書を生成する、ユーザ選択可能な固定フォーマット印刷指示、
を備えており、前記固定フォーマット文書は、ビューアを介して目視可能であり、前記ビューアは前記アプリケーション・プログラム・インターフェースと統合されて、前記固定フォーマット文書を見るときにオペレーティング・システム内の１つ以上のカスタム化が反映されるようにし、前記アプリケーション・プログラム・インターフェースおよび前記ビューアは１回のインストール処理でインストールされて、前記ビューアが、前記アプリケーション・プログラム・インターフェースの信頼コンポーネントであるようにし、かつ信頼に値する要求のみを作るようにした、ユーザ・インターフェース・システム。
【請求項１１】
請求項１０記載のシステムにおいて、前記ビューアは、前記アプリケーション・プログラム・インターフェース内における密封アプリケーション・クラスとして実装する、システム。
【請求項１２】
請求項１０記載のシステムにおいて、前記固定フォーマット文書は、所定の固定フォーマット・コンテンツ・タイプのものである、システム。
【請求項１３】
請求項１２記載のシステムにおいて、前記固定フォーマット文書は、前記固定フォーマット・コンテンツ・タイプを示すファイル拡張子を有する、システム。
【請求項１４】
請求項１０記載のシステムにおいて、前記固定フォーマット文書は、既存の文書にフォーマットを加入することによって生成する、システム。
【請求項１５】
請求項１０記載のシステムにおいて、前記固定フォーマット文書は、既存の文書内にあるコンピュータ実行可能命令を除去または実行不能にすることによって生成する、システム。